(57)【要約】【課題】衝撃破壊に強いバックルを提供する。【解決手段】一端に挿入口、他端にベルト取付部を有し、両側面に開口部を有したバックル本体と、一端に前記挿入口に挿入される係合脚部を有し、他端にベルト取付部を有した差込体とから成るバックルであって、前記差込体の係合脚部の先端部近傍に係合部を設けると共に、係合脚部の中間部にボス部を設けたので、衝撃破壊に強いバックルとすることができる。【選択図】図１
2014008312.tif 000002
【特許請求の範囲】
【請求項１】
一端に挿入口、他端にベルト取付部を有し、両側面に開口部を有したバックル本体と、
一端に前記挿入口に挿入される係合脚部を有し、他端にベルト取付部を有した差込体とから成るバックルであって、
前記差込体の係合脚部の先端部近傍に係合部を設けると共に、係合脚部の中間部にボス部を設けたことを特徴とするバックル。
【請求項２】
前記係合部は、係合脚部の表面および裏面に突出形成されると共に、前記ボス部も係合脚部の表面および裏面に突出形成されたことを特徴とする請求項１に記載のバックル。
【請求項３】
前記係合部とボス部の上下方向の突出量は、等しいことを特徴とする請求項１または２に記載のバックル。
【発明の詳細な説明】
【技術分野】
【０００１】
この発明は、バックル本体と差込体とから成るバックルであって、外部からの衝撃破壊に強いバックルに関するものである。
【背景技術】
【０００２】
従来、バックル本体と差込体との２部材から成るバックルは、外部からの衝撃荷重Ｆを受けた場合に図８に示すように、係合脚部１４が破線に示すように屈曲して、脚の付け根部が破損すると云う問題が存在した。
そこで、外部から衝撃荷重Ｆに対抗するべく種々の提案が為されている。
例えば、特許文献１に示すように、差込体（雄部材）の基部に形成された一対の脚部の付け根部付近に山形状のガイドバー（枠材）が形成されている（特許文献１）。このガイドバーは、基部と略同じ肉厚を有するとともに、左右の脚部に跨がって形成されている。
このように構成されたガイドバーは、差込体（雄部材）が外部から衝撃荷重を受けた際に、衝撃を吸収して脚部が破損することを防止している。
また、特許文献２に示すように、差込体（雄部材）の左右両脚部の先端近傍を連結するブリッジの中央から外向きにセンターバー（係合ガイドビーム）が延設されている。このセンターバーは、基部と略同じ肉厚を有するとともに、ベルト調整部と非接触に形成されている。
このように構成されたセンターバーは、差込体（雄部材）が外部から衝撃荷重を受けた際に、衝撃を吸収して脚部およびベルト調整部が破損することを防止している。
【先行技術文献】
【特許文献】
【０００３】
【特許文献１】特開２００９−１１４９２号公報
【特許文献２】米国特許第７３０２７４２号明細書
【発明の概要】
【発明が解決しようとする課題】
【０００４】
しかし、従来の特許文献１の山形形状のガイドバーを備えた場合では、係合脚部がガイドバーの傾斜面の途中から立設されており、バックルの全体寸法が伸びてしまうと云う問題があった。また、山形形状のガイドバーは、バックル本体と差込体を係合した際に、基部と略同じ肉厚を有するために外部に現れてしまい、意匠的にも問題があった。
また、特許文献２の差込体の中央にセンターバーを備えた場合では、ブリッジにより左右の係合脚部の先端近傍が連結されており、そのブリッジの中央から外向きにセンターバーが延設されているので、係合脚部の動きが規制されて硬くなると云う問題が存在した。
【０００５】
この発明は、上記した従来の不都合を解消する為になされたもので、一端に挿入口、他端にベルト取付部を有し、両側面に開口部を有したバックル本体と、一端に前記挿入口に挿入される係合脚部を有し、他端にベルト取付部を有した差込体とから成るバックルであって、前記差込体の係合脚部の先端部近傍に係合部を設けると共に、係合脚部の中間部にボス部を設けたので、外部から衝撃荷重が加わっても、係合脚部の変形量を制限して破損を免れることのできるバックルを提供するものである。
【課題を解決するための手段】
【０００６】
この発明は、以下のような内容である。
（１）上記目的を達成するため、本発明は一端に挿入口、他端にベルト取付部を有し、両側面に開口部を有したバックル本体と、一端に前記挿入口に挿入される係合脚部を有し、他端にベルト取付部を有した差込体とから成るバックルであって、前記差込体の係合脚部の先端部近傍に係合部を設けると共に、係合脚部の中間部にボス部を設けたことを特徴とする。
（２）また、前記係合部は、係合脚部の表面および裏面に突出形成されると共に、前記ボス部も係合脚部の表面および裏面に突出形成されたことを特徴とする。
（３）前記係合部とボス部の上下方向の突出量は、等しいことを特徴とする。
【発明の効果】
【０００７】
本発明は、一端に挿入口、他端にベルト取付部を有し、両側面に開口部を有したバックル本体と、一端に前記挿入口に挿入される係合脚部を有し、他端にベルト取付部を有した差込体とから成るバックルであって、前記差込体の係合脚部の先端部近傍に係合部を設けると共に、係合脚部の中間部にボス部を設けたので、差込体に衝撃荷重が加わっても、係合脚部の変形量を制限して破損を免れることができる。
また、前記係合部は、係合脚部の表面および裏面に突出形成されると共に、前記ボス部も係合脚部の表面および裏面に突出形成されたので、外部から衝撃荷重が加わっても、係合脚部の変形量を制限して破損を免れることができる。
また、前記係合部とボス部の上下方向の突出量は等しいので、差込体をバックル本体に係合が可能であると共に、係合脚部の付け根にかかる応力を軽減して破損を免れることができる。
【図面の簡単な説明】
【０００８】
【図１】図１は、本発明の一実施形態を示すバックルの分離状態を示す平面図である。
【図２】図２は、同バックルの係合状態を示す平面図である。
【図３】図３は、同バックルを構成するバックル本体を示す斜視図である。
【図４】図４は、同バックル本体を示す側面図である。
【図５】図５は、同バックルを構成する差込体を示す斜視図である。
【図６】図６は、同差込体を示す側面図である。
【図７】図７は、同差込体を平面上に置いて荷重を加えた状態を示す説明図である。
【図８】図８は、従来の差込体を平面上に置いて荷重を加えた状態を示す説明図である。
【発明を実施するための形態】
【０００９】
本発明のバックルは、バックル本体と差込体とから成り、前記差込体の係合脚部の先端部近傍に係合部と中間部にボス部とを設けたので、外部から衝撃荷重が加わっても、係合脚部の変形量を制限して破損を免れることができる。
【実施例１】
【００１０】
以下、一実施の形態を示す図面に基づいて本発明を詳細に説明する。図１は、本発明の一実施形態を示すバックルの分離状態を示す平面図、図２は本発明のバックルの係合状態を示す平面図である。ここで、バックル１０は、一端に挿入口１１、他端にベルト取付部１２を有し、両側面に開口部１３を有したバックル本体Ａと、一端に前記挿入口１１に挿入される係合脚部１４を有し、他端にベルト取付部１５を有した差込体Ｂとから成り、差込体Ｂの係合脚部１４の先端部近傍に係合部１６と中間部にボス部１７とを備えている。
【００１１】
バックル本体Ａは、図３、４に示すように、バックル本体Ａにおける表壁面２０および裏壁面２１は、内側に向けて張り出すように湾曲した四つの縁によって囲まれるＸ字状に形成されている。また、これらバックル本体Ａを構成する表壁面２０の四隅と裏壁面２１の四隅は、連結壁２２によって連結されている。この表壁面２０、裏壁面２１、連結壁２２によって形成される空間に、差込体Ｂの係合脚部１４が収納される。またバックル本体Ａのベルト取付部１２には、矩形状の開放口２３が形成されている。この開放口２３によってバックル１０に締結されるベルトがその長さを変更不可能なようにベルト取付部１２に取り付けられる。更に、連結壁２２と連結壁２２の中間に開口部１３が形成されている。
【００１２】
そしてバックル本体Ａに差込体Ｂが連結された状態では、一対の係合脚部１４が含まれる平面に対して面対称となるように、挿入口１１が形成されている。また、バックル本体Ａに差込体Ｂが連結された状態では、表壁面２０の外表面と対向する平面視において、一対の係合脚部１４の一部が開口部１３から露出するよう構成されている。
【００１３】
差込体Ｂは、図５、６に示すようにベルト取付部１５を有する基部１９と、基部１９から延設された係合脚部１４を有しており、左右一対に形成された係合脚部１４の先端が膨大するように形成されている。また、右側の係合脚部１４における右側外側面、及び左側の係合脚部１４における左側外側面には、脚部係止部１４ａが左右方向の外側に張り出すように湾曲した形状に形成されている。更に、一対の係合脚部１４の先端近傍には、それぞれ係合部１６が形成されており、バックル本体Ａの一部と係合可能である。係合部１６は、係合脚部１４の表面および裏面にそれぞれ突設形成されている。
【００１４】
ボス部１７は、係合脚部１４の表面および裏面にそれぞれ突設形成されており、係合部１６とボス部１７の上下方向の突出量が略等しい。また、ボス部１７は、係合脚部１４の略中間に形成されている。
【００１５】
一対の係合脚部１４の互いに対向する内側面には、係合脚部１４を互いに繋ぐ可撓性を有した帯状の湾曲したブリッジ１８が、係合脚部１４の先端寄りを基端とし、湾曲部をベルト取付部１５側にして形成されている。また、基部１９の係合脚部１４とは反対側には、バックル１０に締結されるベルトの長さを可変にするように保持されるベルト取付部１５が架設される。
【００１６】
このように構成されたバックル１０の動作を図１、２に従って説明する。図１は、バックル１０の分離状態を示す平面図である。この状態から、差込体Ｂの係合脚部１４をバックル本体Ａの挿入口１１に挿入すると、係合部１６がバックル本体Ａの一部と係合してロックされる。図２はバックル１０の係合状態を示す平面図である。この状態で、表壁面２０の側面に開口部１３から露出した係合脚部１４の一部を押圧することで、係合部１６とバックル本体Ａの一部との係合が解除される。
【００１７】
図７は本発明の差込体Ｂを平面上に置いて荷重Ｆを加えた状態を示す説明図である。荷重Ｆが加わっても、係合脚部１４の中間にボス部１７が形成されたので、係合脚部１４の変形量が破線で示すように制限され、破壊される虞がない。また、荷重Ｆが鉛直方向に限らず、斜め方向からかかっても同様に破壊される虞がない。
【００１８】
なお、以上の実施例ではボス部１７を左右の係合脚部１４に夫々一個設ける例について説明したが、これに限ることなく、２個以上設ける構成であってもよい。
【符号の説明】
【００１９】
Ａ    バックル本体
Ｂ    差込体
１０    バックル
１１    挿入口
１２    ベルト取付部
１３    開口部
１４    係合脚部
１５    ベルト取付部
１６    係合部
１７    ボス部
１８    ブリッジ
１９    基部
２０    表壁面
２１    裏壁面
２２    連結壁
２３    開放口
【図１】
2014008312.tif 000003
【図２】
2014008312.tif 000004
【図３】
2014008312.tif 000005
【図４】
2014008312.tif 000006
【図５】
2014008312.tif 000007
【図６】
2014008312.tif 000008
【図７】
2014008312.tif 000009
【図８】
2014008312.tif 000010